(57)【要約】【課題】  プリンタ本体からペーパーサポートが容易に外れることのないプリンタ装置を提供する。【解決手段】  プリンタ装置のプリンタ本体には、互いに対向するように１対の軸受部３が設けられている。一方、用紙をサポートするペーパーサポート１０には、１対の軸受部３に回動可能に軸支される１対の回動軸部１１が設けられている。１対の回動軸部１１のそれぞれは、軸本体１２と軸本体を支持する軸支持部１３とを備えている。軸支持部１３は、ペーパーサポート１０の平板部１０ａに設けられている。軸支持部１３には爪部１４が形成されている。１対の軸受部３のそれぞれは、軸本体１２を受入れる開口部４ａを設けた軸受本体４を備えている。軸受本体４には、爪部１４を受入れて回動軸部１１の軸方向の動きを規制する係合部５が形成されている。【選択図】        図６
2006191222.tif 000002
【特許請求の範囲】
【請求項１】
用紙に印刷を行なうプリンタ本体と、
前記プリンタ本体に装着され、前記プリンタ本体に供給する用紙をサポートするための平板部を含むペーパーサポートと、
互いに対向するように前記プリンタ本体に設けられた１対の軸受部と、
前記ペーパーサポートに設けられ、前記１対の軸受部に回動可能に軸支される１対の回動軸部と
を有し、
前記１対の回動軸部のそれぞれは、
互いに対向する側とは反対側に突出した軸本体と、
前記平板部に設けられ、前記軸本体を支持する軸支持部と、
前記軸支持部に設けられた爪部と、
前記軸支持部における互いに対向する側に形成された突起部と
を備え、
前記１対の軸受部のそれぞれは、
前記軸本体を受入れて軸支する軸受本体と、
前記軸受本体における互いに対向する側に形成され、前記爪部を受入れて前記回動軸部の軸方向の動きを規制する係合部と、
前記軸受本体における互いに対向する側に形成され、前記突起部を受入れる凹部と
を備え、
前記突起部が前記凹部に受入れられ、前記ペーパーサポートが前記プリンタ本体に対して立てられて用紙の供給が可能な開かれた状態では、前記爪部は前記係合部に係合せず前記ペーパーサポートは前記プリンタ本体に着脱可能とされ、
前記ペーパーサポートが前記プリンタ本体の側に倒されて閉じられた状態では、前記爪部が前記係合部に係合することで前記ペーパーサポートの軸方向の動きが規制された、プリンタ装置。
【請求項２】
用紙に印刷を行なうプリンタ本体と、
前記プリンタ本体に装着され、前記プリンタ本体に供給する用紙をサポートするためのペーパーサポートと、
互いに対向するように前記プリンタ本体に設けられた１対の軸受部と、
前記ペーパーサポートに設けられ、前記１対の軸受部にそれぞれに回動可能に軸支される１対の回動軸部と
を有し、
前記１対の回動軸部のそれぞれは爪部を備え
前記１対の軸受部のそれぞれは、前記爪部を受入れて前記回動軸部の軸方向の動きを規制する係合部を備え、
前記ペーパーサポートが前記プリンタ本体に対して立てられて用紙の供給が可能な開かれた状態では、前記爪部は前記係合部に係合せず、前記ペーパーサポートは前記プリンタ本体に着脱可能とされ、
前記ペーパーサポートが前記プリンタ本体の側に倒されて閉じられた状態では、前記爪部が前記係合部に係合することで前記ペーパーサポートの軸方向の動きが規制された、プリンタ装置。
【請求項３】
前記１対の回動軸部は、前記１対の軸受部に対して、互いに対向する側および互いに対向する側とは反対の側のいずれかの側に軸支された、請求項２記載のプリンタ装置。
【請求項４】
前記１対の回動軸部のそれぞれは軸本体を備え、
前記１対の軸受部のそれぞれは、軸本体を受入れて軸支する軸受本体を備え、
前記軸本体は、前記軸受本体の側に向かって突出するように形成された、請求項２または３に記載のプリンタ装置。
【請求項５】
前記１対の回動軸部のそれぞれは、前記１対の軸受部のうちの対応する軸受部の側に向かって突出した突起部を備え、
前記１対の軸受部のそれぞれは、前記突起部を受入れる凹部を備え、
前記突起部が前記凹部に受入れられることで、前記ペーパーサポートが前記プリンタ本体に対して立てられて用紙の供給が可能な開かれた状態とされる、請求項２〜４のいずれかに記載のプリンタ装置。
【発明の詳細な説明】
【技術分野】
【０００１】
本発明はプリンタ装置に関し、特に、ペーパーサポートを備えたプリンタ装置に関するものである。
【背景技術】
【０００２】
プリンタ装置の一つに、印刷の際に用紙をサポートするペーパーサポートが取付けられる態様のプリンタ装置がある。そのようなペーパーサポートを備えたプリンタ装置について説明する。図９に示すように、この種のプリンタ装置１０１は、用紙に印刷をするプリンタ本体１０２とその用紙をサポートするペーパーサポート１１０とを備えている。一般に、このペーパーサポート１１０は樹脂成型されたものが使用されている。
【０００３】
プリンタ本体１０２には、互いに対向するように１対の軸受部１０３が設けられている。一方、ペーパーサポート１１０には、１対の軸受部１０３に回動可能に軸支される１対の回動軸部１１１が設けられている。図１０に示すように、ペーパーサポート１１０の回動軸１１１には、ペーパーサポート１１０の外側に向かってそれぞれ突出する軸本体１１２が設けられている。一方、プリンタ本体１０２には、１対の回動軸部１１１を挟み込むようにして軸本体１１２のそれぞれを回動可能に軸支する軸受部１０３が設けられている。軸受部１０３には、軸本体１１２を受入れる開口部１０４が設けられている。
【０００４】
プリンタ装置１０１で印刷を行なう際には、プリンタ本体１０２に対してペーパーサポート１１０が所定の角度で立てられた状態で用紙（図示せず）が載置される。ペーパーサポート１１０に載置された用紙は、プリンタ本体１０２の印刷動作に合わせてプリンタ本体１０２に供給されることになる。なお、特許文献１には、ペーパーサポートとして、針金製のペーパーサポートを備えたファクシミリ装置が提案されている。
【特許文献１】実開平２−４３８３６号公報
【発明の開示】
【発明が解決しようとする課題】
【０００５】
しかしながら、従来のプリンタ装置では以下のような問題点があった。上述したように、この種のプリンタ装置１０１では、ペーパーサポート１１０がプリンタ本体１０２に対して立てられて開かれた状態で使用される。一方、プリンタ装置１０１を輸送する際には、ペーパーサポート１１０はプリンタ本体１０２の側に倒して閉じられた状態で梱包される。ペーパーサポート１１０は樹脂等から形成されており、輸送の際に、ペーパーサポート１１０に衝撃が加わると容易にペーパーサポート１１０は変形してしまう。
【０００６】
特に、図１１に示すように、ペーパーサポート１１０を点線１２１に示すように変形させる衝撃が加わると、ペーパーサポート１１０の回動軸部１１１が軸受け部１０３から離れる方向（矢印１２２）に変形することになる。そのため、回動軸部１１１の軸本体１１２が軸受部１０３の開口部１０４から抜けてしまい、ペーパーサポート１１０がプリンタ本体１０２から外れてしまうという問題があった。一方、このような問題点を解消しようとすると、たっとえば図１２に示すように、ペーパーサポート１１０をプリンタ本体１０２に対してテープ１１５によって固定するなどの付加的な作業を行なう必要があった。
【０００７】
本発明は、上記問題点を解決するためになされたものであり、その目的は、プリンタ本体からペーパーサポートが容易に外れることのないプリンタ装置を提供することである。
【課題を解決するための手段】
【０００８】
本発明に係るプリンタ装置は、用紙に印刷を行なうプリンタ本体とペーパーサポートと１対の軸受部と１対の回動軸部とを有している。ペーパーサポートはプリンタ本体に装着され、プリンタ本体に供給する用紙をサポートするための平板部を含んでいる。１対の軸受部は互いに対向するようにプリンタ本体に設けられている。１対の回動軸部はペーパーサポートに設けられ、１対の軸受部に回動可能に軸支される。その１対の回動軸部のそれぞれは、軸本体と軸支持部と爪部と突起部とを備えている。軸本体は互いに対向する側とは反対側に突出している。軸支持部は平板部に設けられて軸本体を支持する。爪部は軸支持部に設けられている。突起部は軸支持部における互いに対向する側に形成されている。また、１対の軸受部のそれぞれは、軸受本体と係合部と凹部とを備えている。軸受本体は軸本体を受入れて軸支する。係合部は軸受本体における互いに対向する側に形成され、爪部を受入れて回動軸部の軸方向の動きを規制する。凹部は軸受本体における互いに対向する側に形成され、突起部を受入れる。その突起部が凹部に受入れられ、ペーパーサポートがプリンタ本体に対して立てられて用紙の供給が可能な開かれた状態では、爪部は係合部に係合せずペーパーサポートはプリンタ本体に着脱可能とされる。一方、ペーパーサポートがプリンタ本体の側に倒されて閉じられた状態では、爪部が係合部に係合することでペーパーサポートの軸方向の動きが規制される。
【０００９】
この構成によれば、ペーパーサポートが閉じられた状態では、ペーパーサポートに対してプリンタ本体から離れる方向あるいはプリンタ本体の側に接近する方向にペーパーサポートが反ったとしても、ペーパーサポートの回動軸部に設けられた爪部が、軸受部に設けられた係合部に係合されていることで、軸方向の動きが規制されることになる。その結果、プリンタ装置を輸送する際に、何らかの衝撃が加わってペーパーサポートが反るようなことがあっても、ペーパーサポートの回動軸部が軸受部から外れてしまうのを防止することができる。
【００１０】
本発明に係る他のプリンタ装置は、用紙に印刷を行なうプリンタ本体とペーパーサポートと１対の軸受部と１対の回動軸部とを有している。ペーパーサポートはプリンタ本体に装着され、プリンタ本体に供給する用紙をサポートする。１対の軸受部は互いに対向するようにプリンタ本体に設けられている。１対の回動軸部はペーパーサポートに設けられ、１対の軸受部にそれぞれに回動可能に軸支される。その１対の回動軸部のそれぞれは爪部を備えている。また、１対の軸受部のそれぞれは、爪部を受入れて回動軸部の軸方向の動きを規制する係合部を備えている。ペーパーサポートがプリンタ本体に対して立てられて用紙の供給が可能な開かれた状態では、爪部は係合部に係合せず、ペーパーサポートはプリンタ本体に着脱可能とされる。一方、ペーパーサポートがプリンタ本体の側に倒されて閉じられた状態では、爪部が係合部に係合することでペーパーサポートの軸方向の動きが規制される。
【００１１】
この構成によれば、ペーパーサポートが閉じられた状態では、ペーパーサポートが反ったとしても、ペーパーサポートの回動軸部に設けられた爪部が軸受部に設けられた係合部に係合されていることで、軸方向の動きが規制されることになる。その結果、プリンタ装置を輸送する際に、何らかの衝撃が加わってペーパーサポートが反るようなことがあっても、ペーパーサポートの回動軸部が軸受部から外れてしまうのを防止することができる。
【００１２】
回動軸部が軸受部に軸支される態様として、１対の回動軸部は、１対の軸受部に対して、互いに対向する側および互いに対向する側とは反対の側のいずれかの側に軸支されていることが好ましい。
【００１３】
いずれの軸支の態様においても、１対の回動軸部のそれぞれは軸本体を備え、１対の軸受部のそれぞれはその軸本体を受入れて軸支する軸受本体を備え、軸本体は軸受本体の側に向かって突出するように形成されていることが好ましい。
【００１４】
また、１対の回動軸部のそれぞれは、１対の軸受部のうちの対応する軸受部の側に突出した突起部を備え、１対の軸受部のそれぞれは、突起部を受け入れる凹部を備え、突起部が凹部に受入れられることで、ペーパーサポートがプリンタ本体に対して立てられて用紙の供給が可能な開かれた状態を明確にすることができる。
【発明を実施するための最良の形態】
【００１５】
本発明の実施の形態に係るプリンタ装置について説明する。図１に示すように、プリンタ装置１では、用紙に印刷をするプリンタ本体２とその用紙をサポートするペーパーサポート１０とを備えている。プリンタ本体２には、互いに対向するように１対の軸受部３が設けられている。一方、ペーパーサポート１０には、１対の軸受部３に回動可能に軸支される１対の回動軸部１１が設けられている。その軸受部３と回動軸部１１についてさらに詳しく説明する。
【００１６】
１対の回動軸部１１のそれぞれは、図２に示すように、まず、互いに対向する側とは反対側に突出した軸本体１２とその軸本体１２を支持する軸支持部１３とを備えている。軸支持部１３は、ペーパーサポート１０の平板部１０ａに立設されている。また、軸支持部１３には軸支持部１３が延在する方向（平板部と略直交する方向）に突出した爪部１４が形成されている。さらに、軸支持部１３には、軸本体１２が突出する方向と同じ方向に向かって突出した突起部１５が設けられている。
【００１７】
１対の軸受部３のそれぞれは、図３に示すように、軸本体１２を受入れる開口部４ａを設けた軸受本体４を備えている。その軸受本体４における互いに対向する側には、爪部４を受入れて回動軸部１１の軸方向の動きを規制する係合部５が形成されている。また、軸受本体４には、回動軸部１１に形成された突起部１５を所定の位置（角度範囲）で受け入れる凹部４ｂが形成されている。
【００１８】
次に、上述したプリンタ装置１におけるペーパーサポート１０の使用の態様について説明する。まず、図４および図５に示すように、ペーパーサポート１０がプリンタ本体に対して所定の角度で立てられて開かれた状態が、用紙の供給が可能な状態となる。この状態では、回動軸部１１に設けられた爪部１４は、軸受部３に設けられた係合部５に係合していないことになる。そのため、この状態では、１対の回動軸部１１の軸方向の動きが規制されないので、回動軸部１１を軸方向に互いに接近させるようにペーパーサポート１０を変形させることによって軸本体１２を開口部４ａから外すことができる。これにより、ペーパーサポート１０のプリンタ本体２への着脱が可能になる。
【００１９】
また、ペーパーサポート１０が開かれた状態は、回動軸部１１に設けられた突起部１５が軸受部３に設けられた凹部４ｂに受入れられた状態でもある。この凹部４ｂの領域と突起部１５の位置関係によって、プリンタ本体に対するペーパーサポート１０の開き具合（角度範囲）を設定することができる。また、突起部１５が凹部４ｂに受入れられた状態では、突起部１５が凹部４ｂに受入れられていない状態と比べると、突起部１５と軸受部３との摩擦が小さくペーパーサポート１０の回動動作（矢印２５）が滑らかであるので、ペーパーサポート１０の用紙の供給可能な状態を容易に把握することもできる。
【００２０】
一方、図６および図７に示すように、ペーパーサポート１０がプリンタ本体の側に倒されてペーパーサポート１０が閉じられた状態では、回動軸部１１に設けられた爪部１４は、軸受部３に設けられた係合部５に係合することになる。そのため、この状態では、１対の回動軸部１１の軸方向の動き（矢印２２）が規制されることになり、ペーパーサポート１０が、点線２１に示すようにプリンタ本体から離れる方向に変形したとしても、軸本体１２が開口部４ａから抜けてペーパーサポート１０の回動軸部１３が軸受部４から外れてしまうようなことがなくなる。
【００２１】
また、ペーパーサポート１０が、点線２１に示す側とは反対側のプリンタ本体の側に接近するように変形したとしても、この場合には、回動軸部１３の動きは軸受部４によって規制されるため、ペーパーサポート１０の回動軸部１３が軸受部４から外れてしまうようなことはない。
【００２２】
このように上述したプリンタ装置によれば、ペーパーサポート１０が閉じられた状態では、ペーパーサポート１０をプリンタ本体から離れる方向あるいはプリンタ本体の側に接近する方向にペーパーサポート１０が反ったとしても、ペーパーサポート１０の回動軸部１３に設けられた爪部４が、軸受部４に設けられた係合部５に係合されていることで、軸方向の動きが規制されることになる。
【００２３】
その結果、プリンタ装置１を輸送する際に、何らかの衝撃が加えられてペーパーサポート１０が反るようなことがあっても、ペーパーサポート１０の回動軸部１３が軸受部４から外れてしまうのを防止することができる。また、従来のプリンタ装置のように、ペーパーサポート１０をプリンタ本体２に対してテープによって固定するなどの付加的な作業も必要がなくなる。
【００２４】
また、ペーパーサポート１０を開けた状態では、ペーパーサポート１０をプリンタ本体２へ着脱することができるので、回動軸部１３に爪部４を設けることに伴って、ペーパーサポート１０をプリンタ本体２に装着するのが面倒になることもない。
【００２５】
なお、上述したプリンタ装置１では、ペーパーサポート１０の１対の回動軸部１３は、プリンタ本体２に設けられた軸受部４に対して互いに対向する側に軸支される場合を例に挙げて説明した。この他に、１対の回動軸部１３が、プリンタ本体２に設けられた軸受部４に対して、互いに対向する側とは反対の側に軸支される態様のプリンタ装置であってもよい。この場合には、図８に示すように、１対の回動軸部１１のそれぞれでは、軸支持部１３において互いに対向する側に突出した軸本体１２が形成される一方、１対の軸受部３のそれぞれでは、軸受本体４において互いに対向する側とは反対の側に、爪部４を受入れて回動軸部１１の軸方向の動きを規制する係合部５が形成される。
【００２６】
この態様のプリンタ装置でも、ペーパーサポート１０が閉じられた状態では、ペーパーサポート１０をプリンタ本体から離れる方向あるいはプリンタ本体の側に接近する方向にペーパーサポート１０が反ったとしても、ペーパーサポート１０の回動軸部１３に設けられた爪部４が、軸受部４に設けられた係合部５に係合されることで、軸方向の動きが規制されることになる。
【００２７】
その結果、プリンタ装置１を輸送する際に、何らかの衝撃が加わってペーパーサポート１０が反るようなことがあっても、ペーパーサポート１０の回動軸部１３が軸受部４から外れてしまうのを防止することができる。
【００２８】
なお、今回開示された実施の形態は例示であって、これに制限されるものではない。本発明は上記で説明した範囲ではなく、特許請求の範囲によって示され、特許請求の範囲と均等の意味および範囲でのすべての変更が含まれることが意図される。
【図面の簡単な説明】
【００２９】
【図１】本発明の実施の形態に係るプリンタ装置の斜視図である。
【図２】同実施の形態において、図１に示されるプリンタ装置のペーパーサポートに設けられた回動軸部を示す斜視図である。
【図３】同実施の形態において、図１に示されるプリンタ装置のプリンタ本体に設けられた軸受部を示す斜視図である。
【図４】同実施の形態において、ペーパーサポートの回動軸部とプリンタ本体の軸受部との位置関係を示す第１の部分斜視図である。
【図５】同実施の形態において、図４に示す状態におけるペーパーサポートと軸受部との関係を示す正面図である。
【図６】同実施の形態において、ペーパーサポートの回動軸部とプリンタ本体の軸受部との位置関係を示す第２の部分斜視図である。
【図７】同実施の形態において、図６に示す状態におけるペーパーサポートと軸受部との関係を示す正面図である。
【図８】同実施の形態において、変形例に係るプリンタ装置におけるペーパーサポートと軸受部との関係を示す正面図である。
【図９】従来のプリンタ装置の斜視図である。
【図１０】従来のプリンタ装置におけるペーパーサポートと軸受部との関係を示す分解正面図である。
【図１１】従来のプリンタ装置における問題点を示す斜視図である。
【図１２】従来のプリンタ装置を輸送する場合の状態を示す斜視図である。
【符号の説明】
【００３０】
１  プリンタ装置、２  プリンタ本体、３  軸受部、４  軸受本体、４ａ  開口部、４ｂ  凹部、５  係合部、１０  ペーパーサポート、１０ａ  平板部、１１  回動軸部、１２  軸本体、１３  軸支持部、１４  爪部、１５  突起部。
【図１】
2006191222.tif 000003
【図２】
2006191222.tif 000004
【図３】
2006191222.tif 000005
【図４】
2006191222.tif 000006
【図５】
2006191222.tif 000007
【図６】
2006191222.tif 000008
【図７】
2006191222.tif 000009
【図８】
2006191222.tif 000010
【図９】
2006191222.tif 000011
【図１０】
2006191222.tif 000012
【図１１】
2006191222.tif 000013
【図１２】
2006191222.tif 000014